(57)【特許請求の範囲】
【請求項１】
画像データを取り扱う画像処理装置において，
画像データを記憶する画像データファイルおよびその画像データファイルに付与される画像データ形式の付帯データを記憶する付帯データファイルを受信した場合に，前記画像データファイルの画像属性情報および前記付帯データファイルの画像属性情報を検知する画像属性検知手段と，
画像属性情報に含まれる属性情報ごとに加工条件を設定する加工条件設定手段と，
前記画像属性検知手段により検知された前記画像データファイルの画像属性情報および前記付帯データファイルの画像属性情報の双方が有する属性情報を取得し，前記加工条件設定手段に設定されている加工条件に基づいて，前記付帯データファイル内の付帯データに対して当該属性情報に関する加工を行うデータ加工手段と，
前記データ加工手段により加工された付帯データを，前記画像データファイル内の画像データと合成し，合成後の画像データについて処理を行う画像処理手段とを有することを特徴とする画像処理装置。
【請求項２】
請求項１に記載する画像処理装置において，
前記画像属性検知手段で検知可能な画像属性情報にカラーレベルが含まれ，
前記データ加工手段は，付帯データファイルのカラーレベルを画像データファイルのカラーレベルに近づける変換を行い，変換後のカラーレベルに基づいて付帯データを加工することを特徴とする画像処理装置。
【請求項３】
請求項１または請求項２に記載する画像処理装置において，
前記画像属性検知手段で検知可能な画像属性情報に解像度が含まれ，
前記データ加工手段は，付帯データファイルの解像度を画像データファイルの解像度に近づける変換を行い，変換後の解像度に基づいて付帯データを加工することを特徴とする画像処理装置。
【請求項４】
請求項１から請求項３までのいずれか１つに記載する画像処理装置において，
受信した画像データに複数の画像データおよびそれぞれの画像データ毎の画像属性情報が含まれていた場合には，
前記データ加工手段は，それぞれの画像データ毎に別々に付帯データの加工を行い，
前記画像処理手段は，各画像データを，それぞれの画像データ用に加工された付帯データとともに処理することを特徴とする画像処理装置。
【請求項５】
請求項１から請求項４のいずれか１つに記載する画像処理装置において，
前記加工条件設定手段は，画像属性情報の各項目について，加工を行うか否かを設定するものであることを特徴とする画像処理装置。
【請求項６】
画像データを取り扱う画像処理装置に，
画像データを記憶する画像データファイルおよびその画像データファイルに付与される画像データ形式の付帯データを記憶する付帯データファイルを受信した場合に，前記画像データファイルの画像属性情報および前記付帯データファイルの画像属性情報を検知する画像属性検知手順と，
画像属性情報に含まれる属性情報ごとに加工条件を設定する加工条件設定手順と，
前記画像属性検知手順で検知した前記画像データファイルの画像属性情報および前記付帯データファイルの画像属性情報の双方が有する属性情報を取得し，前記加工条件設定手順にて設定された加工条件に基づいて，前記付帯データファイル内の付帯データに対して当該属性情報に関する加工を行うデータ加工手順と，
前記データ加工手順にて加工された付帯データを，前記画像データファイル内の画像データと合成し，合成後の画像データについて処理を行う画像処理手順とを実行させることを特徴とする画像処理プログラム。
【請求項７】
請求項６に記載する画像処理プログラムにおいて，
前記画像属性検知手順での検知可能な画像属性情報にはカラーレベルが含まれ，
前記データ加工手順では，付帯データファイルのカラーレベルを画像データファイルのカラーレベルに近づける変換を行い，変換後のカラーレベルに基づいて付帯データを加工することを特徴とする画像処理プログラム。
【請求項８】
請求項６または請求項７に記載する画像処理プログラムにおいて，
前記画像属性検知手順での検知可能な画像属性情報には解像度が含まれ，
前記データ加工手順では，付帯データファイルの解像度を画像データファイルの解像度に近づける変換を行い，変換後の解像度に基づいて付帯データを加工することを特徴とする画像処理プログラム。
【発明の詳細な説明】
【０００１】
【発明の属する技術分野】
本発明は，受信した画像データを基に画像処理を行う画像処理装置およびそのプログラムに関する。さらに詳細には，受信した画像データと，その画像データに添付される付加情報とを合成した画像データに基づく出力を行う画像処理装置およびそのプログラムに関するものである。
【０００２】
【従来の技術】
従来より，画像を読み取り，画像データを作成する画像処理装置（以下，送信側端末という。）があり，その画像データを受信し出力する画像処理装置（以下，受信側端末という。）がネットワーク上に接続されている画像処理システムがあった。この画像処理システムで画像データを送受信するに際し，その画像データに対して，その画像データの処理命令や，その画像データを一部数単位で管理するための管理情報（以下，連番情報という。）等の付加情報を，送信側端末が添付する場合がある。そして，付加情報が添付された画像データを受信した受信側端末は，その付加情報に従って画像データの出力処理を行っていた。
【０００３】
【発明が解決しようとする課題】
しかしながら，前記した従来の技術では以下のような問題があった。すなわち，送信側端末では付加情報を画像データに埋め込み，一つの画像データとして送信している。そのため，受信側端末では付加情報を展開できず，付加情報に対して編集／加工等の所望の処理を行うことができないのである。例えば，連番情報を受信側端末の操作者が固有の形式に置き換えるケースとして，連番情報部分にのみ色を付与したり，連番情報の部分を画像に対して目立たせないようにサイズを小さくしたりすることができなかった。
【０００４】
本発明は，前記した従来の技術が有する問題点を解決するためになされたものである。すなわちその課題とするところは，画像データの付加情報を受信側端末で加工／編集することができる画像処理装置およびそのプログラムを提供することにある。
【０００５】
【課題を解決するための手段】
この課題の解決を目的としてなされた本発明の画像処理装置は，画像データを取り扱うものであって，画像データを記憶する画像データファイルおよびその画像データファイルに付与される画像データ形式の付帯データを記憶する付帯データファイルを受信した場合に，画像データファイルの画像属性情報および付帯データファイルの画像属性情報を検知する画像属性検知手段と，画像属性情報に含まれる属性情報ごとに加工条件を設定する加工条件設定手段と，画像属性検知手段により検知された画像データファイルの画像属性情報および付帯データファイルの画像属性情報の双方が有する属性情報を取得し，加工条件設定手段に設定されている加工条件に基づいて，付帯データファイル内の付帯データに対して当該属性情報に関する加工を行うデータ加工手段と，データ加工手段により加工された付帯データを，画像データファイル内の画像データと合成し，合成後の画像データについて処理を行う画像処理手段とを有するものである。
【０００６】
この画像処理装置では，画像データファイルおよびその付帯データファイルを受信した場合に，その画像属性情報を加工／編集する処理を行う。まず，画像属性検知手段は，受信した両ファイルに含まれる画像属性情報を検知する。この画像属性情報は，各データファイルの送信側で設定されたものである。次に，データ加工手段では，検知した付帯データファイルの画像属性情報を，画像データファイルおよび付帯データファイルに基づいて加工／編集する。画像処理手段では，画像データファイルおよび加工された付帯データファイルの処理を行う。これにより，受信側である画像処理装置でそのファイルに含まれる画像属性情報を加工／編集することができる。
【０００７】
また，この画像処理装置において，画像処理手段は，「データ加工手段により加工された付帯データ」を「受信した画像データファイル内の画像データ」と合成し，合成後の画像データについて処理を行うとするとよりよい。これにより，画像データファイル内の画像データと付帯データとが組み合わさった画像データが出力できる。
【０００８】
また，この画像処理装置において，画像処理手段は，画像属性検知手段で検知可能な画像属性情報にカラーレベルもしくは解像度（以下，カラーレベル等という。）が含まれ，データ加工手段は，付帯データファイルのカラーレベル等を画像データファイルのカラーレベル等に近づける変換を行い，変換後のカラーレベル等に基づいて付帯データを加工するとよりよい。これにより，両データのカラーレベル等に極端な差異がない画像データを出力できる。なお，「近づける変換」には，「一致させる変換」も含むものとする。
【０００９】
また，この画像処理装置において，受信した画像データに複数の画像データおよびそれぞれの画像データ毎の画像属性情報が含まれていた場合には，データ加工手段は，それぞれの画像データ毎に別々に付帯データの加工／編集を行い，画像処理手段は，各画像データを，それぞれの画像データ用に加工／編集された付帯データとともに処理するとよりよい。ここでいう，複数の画像データとは，画像データが複数ページ存在するものと，１ページ内に複数の画像データが含まれるものとがあり，どちらの場合でもよい。もちろん，この画像データには，１ページ内に複数の画像データが含まれるものが複数ページあるものも含むものとする。これにより，画像データ毎に付帯データが加工／編集され，見栄えのする画像データを出力できる。
【００１０】
また，この画像処理装置において，データ加工手段による加工の条件を設定する加工条件設定手段を有し，データ加工手段は，前記加工条件設定手段に設定されている加工の条件にも基づいて，受信した付帯データファイル内の付帯データを加工するとよりよい。さらに，加工条件設定手段は，画像属性情報の各項目について，加工を行うか否かを設定するものであるとよりよい。これにより，ユーザの所望する見栄えが，当該画像処理装置において画像属性情報の項目毎に設定可能になる。
【００１１】
また，本発明の画像処理プログラムは，画像データを取り扱う画像処理装置に，画像データを記憶する画像データファイルおよびその画像データファイルに付与される画像データ形式の付帯データを記憶する付帯データファイルを受信した場合に，画像データファイルの画像属性情報および付帯データファイルの画像属性情報を検知する画像属性検知手順と，画像属性情報に含まれる属性情報ごとに加工条件を設定する加工条件設定手順と，画像属性検知手順で検知した画像データファイルの画像属性情報および付帯データファイルの画像属性情報の双方が有する属性情報を取得し，加工条件設定手順にて設定された加工条件に基づいて，付帯データファイル内の付帯データに対して当該属性情報に関する加工を行うデータ加工手順と，データ加工手順にて加工された付帯データを，画像データファイル内の画像データと合成し，合成後の画像データについて処理を行う画像処理手順とを実行させるプログラムである。このプログラムにより，既存の画像処理装置にも上記の効果を発揮させることができる。
【００１２】
【発明の実施の形態】
以下，本発明に係る画像形成装置を具体化した実施の形態について図面に基づいて説明する。図１は，実施の形態におけるシステムの全体構成を示す図である。本システムでは，デジタルカラー複写機１，ホストコンピュータ２，ＦＡＸ３，ＰＣ４，スキャナ５，サーバ６の各装置がネットワークに接続されている。本形態では，スキャナ５で読み取った画像データを，デジタルカラー複写機１に送信し，デジタルカラー複写機１において，当該画像データに基づくプリント処理を行う制御について説明する。
【００１３】
図２は，スキャナ５およびデジタルカラー複写機１を示すブロック図である。本形態では，スキャナ５が送信側であり，デジタルカラー複写機１が受信側である。スキャナ５とデジタルカラー複写機１とは，インタフェイス１０００により接続され双方向に通信が可能である。
【００１４】
スキャナ５は，ＣＰＵ５１，ＲＡＭ５２，ＲＯＭ５３，スキャン部５６，インタフェイス部５５を有しており，各装置はシステムバス５４により接続されている。スキャナ５では，スキャン部５６が画像を読み取り，インタフェイス部５５が画像データを送信する。
【００１５】
一方，デジタルカラー複写機１は，ＣＰＵ１１，ＲＡＭ１２，ＲＯＭ１３，ＣＲＴコントローラ１５，ＣＲＴディスプレイ１７，プリンタコントローラ１６を有しており，各装置はシステムバス１４により接続されている。デジタルカラー複写機１では，プリンタコントローラ１６が通信制御を行い，ＣＲＴコントローラ１６が表示部であるＣＲＴディスプレイ１７を制御する。
【００１６】
次に，本形態の動作概要について説明する。スキャナ５では，操作者が連番付与モードを選択することができる。ここでいう連番付与モードとは，画像データに部数単位での管理番号である連番情報を付与し，当該連番情報を画像データファイルとは別のファイル（以下，付帯情報データファイルという。）内に記憶して送信するモードのことである。この付帯情報データファイルは，連番情報を画像データ形式で記憶する。
【００１７】
一方，デジタルカラー複写機１では，スキャナ５から画像データを受信し，画像データに基づくプリント処理を行う。プリント処理では，当該画像データファイルに，付帯情報データファイルがあるか否かによって異なったプリント処理を行う。
【００１８】
図３は，プリント処理される画像のイメージ図である。この画像は，画像データファイルに，連番情報である付帯情報データファイルが付与された場合のものである。このように，デジタルカラー複写機１では，画像データファイル内の画像データと付帯情報データファイル内の付帯データとを合成し，プリント処理する。
【００１９】
図４は，本形態における画像データファイルの内容を示した概念図である。画像データファイル内には，画像データと属性情報とが含まれている。属性情報としては，カラーレベル，解像度，文字形式が設定されている。ここでいう，カラーレベルとは，一般的に知られているドットカウンタにより計算された画像データ内の全領域の画素に対するカラー画素の占める割合を，５段階で表わしたものである。例えば，全領域がカラー絵柄からなる写真画像の場合は，最高値の「５」となる。一方，全領域が黒文字のみからなるテキスト画像の場合は，最低値の「１」となる。
【００２０】
図５は，本形態における付帯情報データファイルの内容を示した概念図である。付帯情報データファイル内には，付帯データである連番情報と属性情報とが含まれる。この連番情報は，モノクロの画像データとして記憶されている。属性情報には，画像データファイルの属性情報と同様にカラーレベル，解像度，文字形式が設定されている。
【００２１】
各ファイルの属性情報は，一つのテーブルとして各ファイルに保有されている。一方，デジタルカラー複写機１内には，前記テーブルの項目（カラーレベル等）に対応した変換情報テーブルが設けられている。そして，デジタルカラー複写機１では，これらのテーブルの内容に基づいて，適宜，ファイルの属性を変換する。これにより，各ファイルの属性情報が，その属性毎に自動的に加工／編集されるのである。
【００２２】
次に，デジタルカラー複写機１での画像処理を，図１０のフローチャートに基づいて説明する。まず，デジタルカラー複写機１は，スキャナ５から送られる画像データファイルを受信する（Ｓ１）。次に，その画像データファイルに，付帯情報データファイルが付与されているか否かを判断する（Ｓ２）。付帯情報データファイルが付与されていない場合は（Ｓ２：ＮＯ），受信した画像データファイルに対してプリント処理（Ｓ４）を行い，本処理を終了する。一方，付帯情報データファイルが付与されている場合は（Ｓ２：ＹＥＳ），その付帯情報データファイルに含まれる属性情報を必要に応じて変換する（Ｓ３）。そして，Ｓ３処理後の画像データファイルの画像データと付帯情報データファイルの付帯データとを合成する。最後に，当該合成した画像に対してプリント処理（Ｓ４）を行い，本処理を終了する。
【００２３】
次に，付帯情報の属性データを判断する処理（Ｓ３）について，図１１のフローチャートに基づいて説明する。まず，付帯情報データファイルに含まれる一番目の属性情報を検出する（Ｓ３１）。次に，あらかじめ操作者が設定したデジタルカラー複写機１が有する変換情報テーブルの設定条件の一つを抽出し，検出した属性情報が，抽出した設定条件と一致するか否かを判断する（Ｓ３２）。ここでいう設定条件とは，ユーザが出力される画像の見栄えをよくするために，カラーレベルや解像度等を任意に変更するための条件のことである。設定条件と一致する場合は（Ｓ３２：ＹＥＳ），その設定条件を基に，属性情報を変換するか否かの判断をする（Ｓ３４）。そして，その判断結果を基に，属性情報の変換処理を行う（Ｓ３５）。
【００２４】
一方，抽出した設定条件と一致しない場合は（Ｓ３２：ＮＯ），他の設定条件の有無を判断する（Ｓ３３）。他の設定条件が有る場合は（Ｓ３３：ＹＥＳ），その設定条件と検出した属性情報とが一致するか否かを再度判断する（Ｓ３２）。すなわち，Ｓ３２とＳ３３とで，検出した属性情報に対してあらかじめ設定されている設定条件と一致するか否かを判断する。
【００２５】
Ｓ３５の処理後またはＳ３３の処理で他の設定条件が無い場合は（Ｓ３３：ＮＯ），他の属性情報の有無を判断する（Ｓ３６）。他の属性情報が有る場合は（Ｓ３６：ＹＥＳ），その属性情報とあらかじめ操作者が設定した条件とが一致するか否かを再度判断する（Ｓ３２）。他の属性情報が無い場合は（Ｓ３６：ＮＯ），本処理を終了する。すなわち，Ｓ３２とＳ３６とで，すべて属性情報に対してその属性情報を変換するか否かを判断する。
【００２６】
次に，属性情報を変換するか否かを判断する処理（Ｓ３４）について，図１２のフローチャートに基づいて説明する。まず，検出した属性情報に対応する設定条件を変換情報テーブルから読み出す（Ｓ３４１）。次に，当該テーブルから読み出した条件，画像データファイルの属性情報，付帯情報データファイルの属性情報を照合して，付帯情報データファイルの属性情報を変換をするか否かを決定する（Ｓ３４２）。以下に，本画像処理の出力例について表１〜３を用いて説明する。
【００２７】
［出力例１］
本出力例では，スキャナ５にて連番付与モードが選択されており，写真をスキャン部５６で読み取り，読み取った画像をデジタルカラー複写機１でプリント処理する場合の変換処理について説明する。連番付与モードが選択されている場合は，連番情報は画像データファイルとは別の付帯情報データファイルに記憶され，当該ファイルは画像データファイルとともにデジタルカラー複写機１に送信される。なお，本出力例では，画像データファイルの画像データは，図４に示すような画像データであり，付帯情報データファイルの付帯データは，図５に示すような「ＡＰ−１０」と記された画像データとする。すなわち，本出力例では画像データ（図４）と画像データ（図５）とを合成した画像データを出力する。
【００２８】
図１３は，画像データファイル，付帯情報データファイルおよび付帯情報データファイルの変換条件の一覧を示した表である。表中最下位行の変換条件は，画像データファイルの属性情報および付帯情報データファイルの属性情報を基に，付帯情報データファイル内の画像データを変換する条件を示したものである。図１１中のＳ３４の処理では，まず，図１３のテーブルを参照する（Ｓ３４１）。そして，そのテーブルを基に，選択された双方のファイル内の属性情報に対して，付帯情報データファイル内の画像データの変換処理を判断する（Ｓ３４２）。これにより，付帯情報データファイルを変換するか否かを決定する。
【００２９】
例えば，表中の属性１に対しては，条件が「ファイルがあれば変換」と設定されている。ここでいう，ファイルとは付帯情報データファイルのことである。本出力例では，付帯情報データファイルが画像データファイルとともに送られて来ており付帯情報データファイルが存在するため，当該ファイルの変換をする。すなわち，属性１では，変換をするか否かの判断のみを行い，各属性情報の変換内容は属性２以降の内容を参照する。
【００３０】
属性２に対しては，条件が「カラーレベルを合わせる」と設定されている。本出力例では，画像データファイルのカラーレベルと付帯情報データファイルのカラーレベルとが異なっている。そのため，付帯情報データファイルの画像データのカラーレベルは，１から５に変換される。
【００３１】
属性３に対しては，条件が「解像度を合わせる」と設定されている。本出力例では，画像データファイルの解像度と付帯情報データファイルの解像度とが同じ値になっている。そのため，付帯情報データファイルの画像データの解像度は，変換されず６００ｄｐｉのままとなる。
【００３２】
属性４から属性６に対しては，画像データファイル，付帯情報データファイルの両ファイルともに画像データであり，文字形式に関する属性情報がないため，無変換となる。すなわち，本出力例ではカラーレベルが変換され，他の属性は無変換となる。
【００３３】
添付情報データファイルが変換されると，当該ファイルの画像データと画像データファイルの画像データとを合成し，出力用の画像データが作成される。本出力例での出力画像は，図３に示すイメージ図のものである。図３の左上には，カラーレベルが変換された付帯データファイルの画像データが出力されている。
【００３４】
［出力例２］
本出力例では，出力例１の画像データとなる対象を，写真から文字情報にした場合の変換処理について説明する。なお，本出力例では，画像データファイルの画像データは，図６に示すような画像データであり，付帯情報データファイルの付帯データは，図５に示すような「ＡＰ−１０」と記された画像データとする。すなわち，本出力例では画像データ（図６）と画像データ（図５）とを合成した画像データを出力する。
【００３５】
図１４は，図１３と同様の付帯情報データファイルの変換条件の一覧を示した表である。表中の属性１に対しては，条件が「ファイルがあれば変換」と設定されている。本出力例では，付帯情報データファイルが画像データファイルとともに送られてくるため，付帯情報データファイルの変換をする。
【００３６】
属性２に対しては，条件が「カラーレベルを合わせる」と設定されている。本出力例では，画像データファイルのカラーレベルと付帯情報データファイルのカラーレベルとが異なっている。そのため，付帯情報データファイルの画像データのカラーレベルは，１から３に変換される。
【００３７】
属性３に対しては，条件が「解像度を合わせる」と設定されている。本出力例では，画像データファイルの解像度と付帯情報データファイルの解像度とが同じ値になっている。そのため，付帯情報データファイルの画像データの解像度は，変換されず６００ｄｐｉのままとなる。
【００３８】
属性４に対しては，条件が「文字形式を合わせる」と設定されている。本出力例は，画像データファイルの文字形式と付帯情報データファイルの文字形式とが異なっている。そのため，付帯情報データファイルの文字フォントは，明朝体からゴシック体に変換される。
【００３９】
属性５および属性６に対しては，見栄えの観点からあまり影響がないというユーザの判断より，設定が「変換しない」となっているため無変換となる。すなわち，本出力例ではカラーレベルおよび文字形式１である文字フォントが変換され，他の属性情報は無変換となる。
【００４０】
添付情報データファイルが変換されると，当該ファイルの画像データと画像データファイルの画像データとを合成し，出力用の画像データが作成される。本出力例での出力画像は，図７に示すイメージ図のものである。図７の左上には，カラーレベルおよび文字フォントが変換された付帯データファイルの画像データが出力されている。
【００４１】
［出力例３］
本出力例では，スキャナ５がオーバレイ情報を付与することとし，文字情報をスキャン部５６で読み取り，読み取った画像をデジタルカラー複写機１でプリント処理する場合の変換処理について説明する。なお，本出力例では，画像データファイルの画像データは，図６に示すような画像データであり，付帯情報データファイルの付帯データは，図８に示すような「開発部機密情報」と記された画像データとする。すなわち，本出力例では画像データ（図６）と画像データ（図８）とを合成した画像データを出力する。
【００４２】
図１５は，図１３と同様の付帯情報データファイルの変換条件の一覧を示した表である。表中の属性１に対しては，条件が「ファイルがあれば変換」と設定されている。本出力例では，付帯情報データファイルが画像データファイルとともに送られてくるため，付帯情報データファイルの変換をする。
【００４３】
属性２に対しては，条件が「値の差に応じて変換」と設定されている。本出力例では，カラーレベルの差が２以上の場合は変換すると設定されているものとする。本出力例では，画像データファイルのカラーレベルと付帯情報データファイルのカラーレベルとの差が２となっている。そのため，付帯情報データファイルの画像データのカラーレベルは，１から３に変換される。
【００４４】
属性３に対しては，条件が「値の差に応じて変換」と設定されている。本出力例では，解像度の差が４００ｄｐｉ以上の場合は変換すると設定されているものとする。本出力例では，画像データファイルの解像度と付帯情報データファイルの解像度との差が２００ｄｐｉとなっている。そのため，付帯情報データファイルの画像データの解像度は，変換されず４００ｄｐｉのままとなる。
【００４５】
属性４から属性６に対しては，見栄えの観点からあまり影響がないというユーザの判断より，条件が「変換しない」と設定されているため無変換となる。すなわち，本出力例ではカラーレベルが変換され，他の属性情報は無変換となる。
【００４６】
添付情報データファイルが変換されると，当該ファイルの画像データと画像データファイルの画像データとを合成し，出力用の画像データが作成される。本出力例での出力画像は，図９に示すイメージ図のものである。図９の中央には，カラーレベルが変換された付帯データファイルの画像データが出力されている。
【００４７】
次に，画像データファイル内の画像データが複数ページの画像からなる場合について説明する。図１６は，全面同一のカラーレベルの画像が４ページある画像ファイルの場合のイメージ図である。各ページのカラーレベルは，１ページ目がカラーレベル２，２ページ目がカラーレベル３，３ページ目がカラーレベル２，４ページ目がカラーレベル４とする。
【００４８】
変換処理の具体例として，変換条件を図１５の表とした，付帯情報データファイルのカラーレベルの変換を説明する。付帯情報データファイルは，テキストデータの連番情報でありカラーレベル１とする。まず，１ページ目および３ページ目は，カラーレベルが２であり，付帯情報データファイルのカラーレベルとの差分は１である。そのため，カラーレベルの変換はしない。一方，２ページ目は，カラーレベルが３であり，付帯情報データファイルのカラーレベルとの差分は２である。そのため，カラーレベルは１から３に変換される。また，４ページ目は，付帯情報データファイルのカラーレベルとの差分は３であるため，カラーレベルは１から４に変換される。
【００４９】
次に，画像データファイル内の画像データがページ内に複数のエリアを備えている画像からなる場合について説明する。図１７は，ページ内に異なったカラーレベルのエリアが２箇所ある画像データが２ページある画像ファイルの場合のイメージ図である。各エリアのカラーレベルは，１ページ目のエリアＡがカラーレベル２，エリアＢがカラーレベル３，２ページ目のエリアＣがカラーレベル２，エリアＤがカラーレベル４とする。
【００５０】
変換処理の具体例として，変換条件を図１５の表とした，付帯情報データファイルのカラーレベルの変換を説明する。付帯情報データファイルは，画像データのオーバレイ情報でありカラーレベル１とする。まず，エリアＡおよびエリアＣは，カラーレベルが２であり，付帯情報データファイルのカラーレベルとの差分は１である。そのため，カラーレベルの変換はしない。一方，エリアＢは，カラーレベルが３であり，付帯情報データファイルのカラーレベルとの差分は２である。そのため，カラーレベルは１から３に変換される。また，エリアＤは，付帯情報データファイルのカラーレベルとの差分は３であるため，カラーレベルは１から４に変換される。
【００５１】
以上詳細に説明したように本実施の形態では，画像データの付加情報を付帯情報データファイルとして別ファイルに設けることとしている。そして，デジタルカラー複写機１では，付帯情報データファイルを画像データファイルとともに受信している。また，デジタルカラー複写機１では，付帯情報データファイルの属性情報に応じた変換条件テーブルを備えている。そして，受信した各ファイルの属性情報と変換条件テーブルとを比較することにより，付帯情報データファイルの属性情報を自動的に変換することとしている。これにより，画像データの付加情報を受信側端末で加工／編集することができる画像処理装置およびそのプログラムが実現されている。
【００５２】
また，画像データファイル内の画像データが複数ページまたは複数エリアからなる場合も，各ページまたは各エリア毎に変換することとしている。これにより，より見栄えのするプリント処理を行うことができる。
【００５３】
なお，本実施の形態は単なる例示にすぎず，本発明を何ら限定するものではない。したがって本発明は当然に，その要旨を逸脱しない範囲内で種々の改良，変形が可能である。例えば，テーブルを各ファイルに一つづつ備えていたが複数個を備えていてもよい。また，属性情報も６個に限らず他の属性情報を加えてもよい。また，変換条件も，値を合わせるまたは差分に応じて変換とする以外にも複写機の機能に応じて変換する等にしてもよい。また，２ｉｎ１印刷を行う場合には，付加情報を表示する位置に応じて変換することとしてもよい。
【００５４】
【発明の効果】
以上の説明から明らかなように本発明によれば，画像データの付加情報を受信側端末で加工／編集することができる画像処理装置およびそのプログラムが提供されている。
【図面の簡単な説明】
【図１】実施の形態におけるシステムの全体構成を示す図である。
【図２】スキャナおよびデジタルカラー複写機を示すブロック図である。
【図３】本形態（出力例１）におけるプリント処理される画像のイメージ図である。
【図４】本形態（出力例１）における画像データファイルの内容を示した概念図である。
【図５】本形態（出力例１および出力例２）における付帯情報データファイルの内容を示した概念図である。
【図６】本形態（出力例２および出力例３）における画像データファイルの内容を示した概念図である。
【図７】本形態（出力例２）におけるプリント処理される画像のイメージ図である。
【図８】本形態（出力例３）における付帯情報データファイルの内容を示した概念図である。
【図９】本形態（出力例３）におけるプリント処理される画像のイメージ図である。
【図１０】デジタルカラー複写機における画像処理のフローチャートである。
【図１１】属性判断処理のフローチャートである。
【図１２】変換処理判断のフローチャートである。
【図１３】出力例１における変換処理の一覧を示す表である。
【図１４】出力例２における変換処理の一覧を示す表である。
【図１５】出力例３における変換処理の一覧を示す表である。
【図１６】異なったカラーレベルの画像データが４ページある画像ファイルの場合のイメージ図である。
【図１７】ページ内に異なったカラーレベルのエリアが複数箇所ある画像ファイルのイメージ図である。
【符号の説明】
１        デジタルカラー複写機
５        スキャナ
【図１】
0004362993.tif 000002
【図２】
0004362993.tif 000003
【図３】
0004362993.tif 000004
【図４】
0004362993.tif 000005
【図５】
0004362993.tif 000006
【図６】
0004362993.tif 000007
【図７】
0004362993.tif 000008
【図８】
0004362993.tif 000009
【図９】
0004362993.tif 000010
【図１０】
0004362993.tif 000011
【図１１】
0004362993.tif 000012
【図１２】
0004362993.tif 000013
【図１３】
0004362993.tif 000014
【図１４】
0004362993.tif 000015
【図１５】
0004362993.tif 000016
【図１６】
0004362993.tif 000017
【図１７】
0004362993.tif 000018